(57)【特許請求の範囲】
【請求項１】
石炭の乾燥機と、この乾燥機で乾燥された乾燥炭の粉砕機と、この粉砕機で粉砕された粉砕炭を燃料とするボイラと、を有する石炭ボイラ設備であって、
一端側に石炭の供給口及びキャリアガスの吹込み口を有し、他端側に乾燥炭及び排ガスの排出口を有する回転筒と、
前記回転筒の内部に配置され、前記回転筒の一端側から供給した石炭を他端側へ搬送する過程で、この石炭を加熱する加熱管と、
前記排出口を覆い、底部に乾燥炭の固定排出口を有し、天部に排ガスの固定排気口を有する分級フードと、
この分級フード内に上昇流を発生させる分級手段たる上昇流発生手段と、
前記上昇流の流速を制御する流速制御手段と、を有し、
前記上昇流によって前記乾燥機で乾燥された乾燥炭中の微粉炭の一部又は全部を前記分級フードの前記固定排気口から排出する、横型回転式乾燥機を前記乾燥機として用い、
この横型回転式乾燥機の前記分級フードの前記固定排出口から排出された前記微粉炭が除去された後の乾燥炭を前記粉砕機で粉砕した後、前記ボイラの燃料とし、
他方、前記横型回転式乾燥機の前記分級フードの前記固定排気口から排出された微粉炭を集塵して、前記ボイラの燃料とする、
ことを特徴とする石炭ボイラ設備。
【請求項２】
前記上昇流発生手段として、前記分級フードの底部から分散ガスを吹き上げる分散ガス吹上げ手段を有し、
前記キャリアガス及び前記分散ガスの少なくとも一方として、前記固定排気口から排出され、前記微粉炭が集塵された後の排ガス、及び、前記ボイラの排ガスの少なくとも一方を利用する、
請求項１記載の石炭ボイラ設備。
【請求項３】
石炭の乾燥機と、この乾燥機で乾燥された乾燥炭の粉砕機と、この粉砕機で粉砕された粉砕炭を燃料とするボイラと、を有する石炭ボイラ設備の運転方法であって、
一端側に石炭の供給口及びキャリアガスの吹込み口を有し、他端側に乾燥炭及び排ガスの排出口を有する回転筒と、
前記回転筒の内部に配置され、前記回転筒の一端側から供給した石炭を他端側へ搬送する過程で、この石炭を加熱する加熱管と、
前記排出口を覆い、底部に乾燥炭の固定排出口を有し、天部に排ガスの固定排気口を有する分級フードと、を有する横型回転式乾燥機を前記乾燥機として用い、
前記分級フード内に分級用の上昇流を発生させることによって前記乾燥機で乾燥された乾燥炭中の微粉炭の一部又は全部を前記分級フードの前記固定排気口から排出するにあたり、この排出する微粉炭を前記上昇流の流速を制御することによって制御し、
前記横型回転式乾燥機の前記分級フードの前記固定排出口から排出された前記微粉炭が除去された後の乾燥炭を前記粉砕機で粉砕した後、前記ボイラの燃料として使用し、
他方、前記横型回転式乾燥機の前記分級フードの前記固定排気口から排出された微粉炭を集塵して、前記ボイラの燃料として使用する、
ことを特徴とする石炭ボイラ設備の運転方法。
【発明の詳細な説明】
【技術分野】
【０００１】
本発明は、火力発電所等において使用可能な横型回転式乾燥機が備わる石炭ボイラ設備、及びこの石炭ボイラ設備の運転方法に関するものである。
【背景技術】
【０００２】
火力発電所や砂糖工場、パルプ工場等の熱を利用する工場等には、水を加熱して蒸気を生成するボイラが備えられており、燃料の一部又は全部として、石炭が使用されている。この石炭としては、安価であること等を理由として、褐炭や亜瀝青炭等の水分高含有石炭が使用されることがあり、また、当該石炭は、ローラーミル等の粉砕機で粉砕された後、ボイラ付属のバーナーで燃焼されている。しかしながら、水分高含有石炭をそのまま燃料として使用すると、発熱量の一部が石炭に含有されている水分の蒸発に奪われてしまうため、ボイラで生成される蒸気の量が減るとの問題が生じる。そこで、現在は、石炭を乾燥機で事前乾燥してから、粉砕機で粉砕し、燃料として使用している。しかしながら、褐炭や亜瀝青炭等の石炭は、乾燥に伴って割れた際に微粉が発生するため、乾燥炭は微粉炭を多く含むことになる。例えば、水分率６０％程度の褐炭を水分率１０％程度になるまで乾燥させると、２％程度しか存在しなかった３００μｍ以下の微粉炭（微粒子）が１０％程度にまで増加する。したがって、乾燥炭を搬送等するに際しては、微粉炭が飛散するのを防止しなければならず、ハンドリング性が悪いとの問題が生じる。また、粉砕の必要がない微粉炭も粉砕機で粉砕することになるため、粉砕効率が悪いとの問題も生じる。特に粉砕機がローラーミル等である場合は、微粉炭の量が多いと、振動が発生し、運転が不安定になることがある。そこで、これらの問題を解決するために、乾燥炭を粉砕機で粉砕するに先立って分級機に送り、乾燥炭中の微粉炭を除去する必要が生じる。
【０００３】
一方、石炭の乾燥機としては、横型回転式乾燥機が知られており、その代表例として、いわゆるスチームチューブドライヤ（ＳＴＤ）が存在する（例えば、特許文献１参照。）。このスチームチューブドライヤは、図１１にその例を示すように、軸心回りに回転する回転筒１１０と、この回転筒１１０の内部に配置された軸心方向に沿う多数の加熱管１１１とから主になり、この加熱管１１１の内部に蒸気等の熱媒体が通される。回転筒１１０の一端側から供給（装入）された石炭は、回転筒１１０の回転に伴って他端側へ搬送され、この搬送の過程において加熱管１１１と接触することにより加熱される。この加熱によって乾燥された乾燥炭は、回転筒１１０の他端側に設けられた排出口１１２から排出される。また、回転筒１１０の一端側にはキャリアガスの吹込み口１１３が設けられており、回転筒１１０の内部で発生する蒸気等のガスと伴に回転筒１１０の他端側に設けられた排出口１１２と連通する排気口１２２から排気される。このスチームチューブドライヤは、石炭を安定的に乾燥することができ、しかも数多くの実績が存在するので極めて有用である。しかしながら、この従来のスチームチューブドライヤでは、乾燥炭中の微粉炭を除去することができない。したがって、前記微粉炭による問題を避けるためには、この従来のスチームチューブドライヤを使用して石炭を事前乾燥する場合も、別途、分級機を備える必要がある。
【０００４】
そこで、石炭の乾燥機として、本出願人が提案した分級機能を有する横型回転式乾燥機を使用することが考えられる（特許文献２参照）。この横型回転式乾燥機は、微粉炭を排ガスと伴に排出することで乾燥炭から除去する仕組みを有しており、コークス炉に供給する石炭を乾燥するために使用することができるほか、ボイラの燃料とする石炭の乾燥にも使用することができる。しかしながら、石炭は、褐炭、亜瀝青炭等の種類に応じて燃焼速度が異なるため、この燃焼速度に応じて粉砕機でどの程度まで粉砕するかを変えているという現状がある。例えば、褐炭と瀝青炭とを比べた場合、褐炭は固定炭素が少なく揮発分が多いため燃焼速度が速いのに対し、瀝青炭は固定炭素が多く揮発分が少ないため燃焼速度が遅く、したがって、瀝青炭は褐炭よりも小さく粉砕する必要がある。しかるに、前記横型回転式乾燥機は、発塵、カーボン付着等を防止するために微粉炭を除去するためのものであり、石炭の種類に応じて除去する微粉炭の大きさを変えることを課題とするものではない。したがって、例えば、石炭が褐炭である場合を前提に前記横型回転式乾燥機を設計して使用すると、石炭が亜瀝青炭である場合には、粉砕後の粉砕炭よりも大きな微粉炭が除去されてしまうことになる。もちろん、この除去された微粉炭も燃料として使用することができるが、粉砕後の粉砕炭よりも大きな微粉炭を含むため、別途粉砕機で粉砕する必要が生じる。他方、石炭が亜瀝青炭である場合を前提に乾燥機を設計して使用すると、石炭が褐炭である場合には、粉砕後の粉砕炭よりも小さな微粉炭の一部を乾燥炭から除去することができない。したがって、粉砕の必要がない微粉炭も粉砕機で粉砕することになり、粉砕効率が低下する。
【先行技術文献】
【特許文献】
【０００５】
【特許文献１】特開２００４−４４８７６号公報
【特許文献２】特開２０１０−１６９３２４号公報
【発明の概要】
【発明が解決しようとする課題】
【０００６】
本発明が解決しようとする主たる課題は、石炭の種類等に応じて除去する微粉炭を変えることができる石炭の横型回転式乾燥機が備わる石炭ボイラ設備、及びこの石炭ボイラ設備の運転方法を提供することにある。
【課題を解決するための手段】
【０００７】
微粉炭（微粒子）が上昇流中に存在する場合、大きな微粉炭は重力によって下降（落下）するが、小さな微粉炭は上昇流に乗って上昇する。本発明者らは、このことを前提に、種々の試験を行ったところ、上昇流の流速を変化させた場合に、どの程度の割合で微粉炭が上昇し、（固定）排気口から排出されるかは、図１０に示す状態になることを知見した。この図は、上昇流の流速がｕｔのときに落下するか上昇するかの境界となる大きさの微粉炭について、上昇流の流速（ｕ）を変化させた場合に、スリップ率がどのように変化するかを示す図である。このスリップ率とは、固定排気口から排出される微粉炭の割合であり、スリップ率が高いほど除去される微粉炭の割合が多いことを意味する。このスリップ率の変化（曲線の形状）は、分級フードの形状、内部構造等によっても変化するが、これらの条件が同じであれば同様の結果となった。そこで、流速（ｕ）を変化させることで、除去される微粉体の割合や粒径分布を制御できることを知見し、上記課題を解決する以下の発明を想到するに到った。
【０００８】
【０００９】
【００１０】
〔請求項１記載の発明〕
石炭の乾燥機と、この乾燥機で乾燥された乾燥炭の粉砕機と、この粉砕機で粉砕された粉砕炭を燃料とするボイラと、を有する石炭ボイラ設備であって、
一端側に石炭の供給口及びキャリアガスの吹込み口を有し、他端側に乾燥炭及び排ガスの排出口を有する回転筒と、
前記回転筒の内部に配置され、前記回転筒の一端側から供給した石炭を他端側へ搬送する過程で、この石炭を加熱する加熱管と、
前記排出口を覆い、底部に乾燥炭の固定排出口を有し、天部に排ガスの固定排気口を有する分級フードと、
この分級フード内に上昇流を発生させる分級手段たる上昇流発生手段と、
前記上昇流の流速を制御する流速制御手段と、を有し、
前記上昇流によって前記乾燥機で乾燥された乾燥炭中の微粉炭の一部又は全部を前記分級フードの前記固定排気口から排出する、横型回転式乾燥機を前記乾燥機として用い、
この横型回転式乾燥機の前記分級フードの前記固定排出口から排出された前記微粉炭が除去された後の乾燥炭を前記粉砕機で粉砕した後、前記ボイラの燃料とし、
他方、前記横型回転式乾燥機の前記分級フードの前記固定排気口から排出された微粉炭を集塵して、前記ボイラの燃料とする、
ことを特徴とする石炭ボイラ設備。
【００１１】
（主な作用効果）
分級フード内に上昇流を発生させる分級手段たる上昇流発生手段と、上昇流の流速を制御する流速制御手段とを有するため、固定排気口から排出される微粉炭の割合や粒径分布を制御することができ、石炭の種類等に応じて除去する微粉炭を変えることができる。したがって、固定排出口から排出された乾燥炭を粉砕機で粉砕するにおいて、ハンドリング性、粉砕効率等に関する前述微粉炭による問題が生じるのを防止することができる。しかも、固定排気口から排出される微粉炭を石炭の種類に応じた適切なものとすることができるため、別途、粉砕することなく、そのまま集塵してボイラの燃料とすることができる。
【００１２】
〔請求項２記載の発明〕
前記上昇流発生手段として、前記分級フードの底部から分散ガスを吹き上げる分散ガス吹上げ手段を有し、
前記キャリアガス及び前記分散ガスの少なくとも一方として、前記固定排気口から排出され、前記微粉炭が集塵された後の排ガス、及び、前記ボイラの排ガスの少なくとも一方を利用する、
請求項１記載の石炭ボイラ設備。
【００１３】
（主な作用効果）
キャリアガス及び分散ガスの少なくとも一方として、固定排気口から排出され微粉炭が集塵された後の排ガス、及び、ボイラの排ガスの少なくとも一方を利用するので熱効率に優れる。しかも、これらの排ガスは酸素濃度が低いため、炭塵爆発を防止することができる。
【００１４】
〔請求項３記載の発明〕
石炭の乾燥機と、この乾燥機で乾燥された乾燥炭の粉砕機と、この粉砕機で粉砕された粉砕炭を燃料とするボイラと、を有する石炭ボイラ設備の運転方法であって、
一端側に石炭の供給口及びキャリアガスの吹込み口を有し、他端側に乾燥炭及び排ガスの排出口を有する回転筒と、
前記回転筒の内部に配置され、前記回転筒の一端側から供給した石炭を他端側へ搬送する過程で、この石炭を加熱する加熱管と、
前記排出口を覆い、底部に乾燥炭の固定排出口を有し、天部に排ガスの固定排気口を有する分級フードと、を有する横型回転式乾燥機を前記乾燥機として用い、
前記分級フード内に分級用の上昇流を発生させることによって前記乾燥機で乾燥された乾燥炭中の微粉炭の一部又は全部を前記分級フードの前記固定排気口から排出するにあたり、この排出する微粉炭を前記上昇流の流速を制御することによって制御し、
前記横型回転式乾燥機の前記分級フードの前記固定排出口から排出された前記微粉炭が除去された後の乾燥炭を前記粉砕機で粉砕した後、前記ボイラの燃料として使用し、
他方、前記横型回転式乾燥機の前記分級フードの前記固定排気口から排出された微粉炭を集塵して、前記ボイラの燃料として使用する、
ことを特徴とする石炭ボイラ設備の運転方法。
【００１５】
（主な作用効果）
分級フード内に分級用の上昇流を発生させることによって乾燥機で乾燥された乾燥炭中の微粉炭の一部又は全部を固定排気口から排出するにあたり、この排出する微粉炭を上昇流の流速を制御することによって制御するため、請求項１記載の発明と同様の作用効果が奏せられる。
【発明の効果】
【００１６】
本発明によると、石炭の種類等に応じて除去する微粉炭を変えることができる石炭の横型回転式乾燥機が備わる石炭ボイラ設備、及び石炭ボイラ設備の運転方法となる。
【図面の簡単な説明】
【００１７】
【図１】本形態の石炭ボイラ設備の設備フロー図である。
【図２】本形態の横型回転式乾燥機の正面図である。
【図３】回転筒の他端側の拡大図であり、分級フードを省略した図である。
【図４】図２のＸ−Ｘ線断面図である。
【図５】分級フードの拡大図である。
【図６】分散ガス吹上げ手段の拡大図である。
【図７】分散ガス吹上げ手段の説明図である。
【図８】分級フード及び分散ガス吹上げ手段の変形例である。
【図９】分級フード及び分散ガス吹上げ手段の変形例である。
【図１０】流速の変化とスリップ率との関係を示す図である。
【図１１】従来のスチームチューブドライヤの斜視図である。
【発明を実施するための形態】
【００１８】
次に、本発明を実施するための形態を説明する。
（石炭ボイラ設備）
図１に、本形態の石炭ボイラ設備の設備フロー図を示した。本形態の石炭ボイラ設備は、横型回転式乾燥機１００と、この横型回転式乾燥機１００で乾燥した乾燥炭Ｃ２の粉砕機１２０と、この粉砕機１２０で粉砕した粉砕炭Ｃ３が燃料として供給されるボイラ１３０と、から主になる。なお、「粉砕炭」とは、粉砕機で粉砕された後の乾燥炭を意味し、後述する「微粉炭」とは粒子径が異なるために区別されるというわけではない。
【００１９】
横型回転式乾燥機１００は、一端側（紙面左側）に褐炭、亜瀝青炭等からなる石炭Ｃ１の供給口及びキャリアガスＧ１の吹込み口を有し、他端側（紙面右側）に乾燥炭Ｃ２及び排ガスＧ２の排出口５０（図３参照）を有する回転筒１０と、この回転筒１０内の石炭Ｃ１を加熱する加熱手段と、乾燥炭Ｃ２及び排ガスＧ２の排出口５０を覆う分級フード５５と、から主になる。なお、この横型回転式乾燥機１００の詳細は、後述する。
【００２０】
キャリアガスＧ１は、ブロワ１１３によって回転筒１０内に吹き込まれ（供給され）、石炭Ｃ１の加熱によって発生した蒸気等を伴い排ガスとして回転筒１０内から排気される。キャリアガスＧ１としては、例えば、ボイラ１３０の排ガスＧ３や、窒素等の不活性ガス、微粉炭Ｃ４が集塵（除去）された後の排ガスＧ４、空気等のいずれか、又はこれらを適宜組み合わせたガスを使用することができる。ただし、横型回転式乾燥機１００における炭塵爆発を防止するために、キャリアガスＧ１の酸素濃度は低く（通常１３％以下、好ましくは１２％以下。）保つ必要がある。したがって、キャリアガスＧ１としては、排ガスＧ３及び排ガスＧ４の少なくとも一方を使用するのが好ましい。両排ガスＧ３，Ｇ４は、低酸素濃度であるうえに、温度が高いため、キャリアガスＧ１として利用したとしても、石炭Ｃ１の加熱を妨げるおそれがない。なお、排気ガスの酸素濃度を計測（監視）し、この計測値が規定値を超えた場合に、不活性ガスを混入し、又は混入量を増やして酸素濃度を制御することもできる。また、図示例では、微粉炭Ｃ４が集塵された後の排ガスＧ４は、煙突１６０から大気中に放気する形態を示している。
【００２１】
回転筒１０内において乾燥した乾燥炭Ｃ２は、回転筒１０から分級フード５５内に排出された後、当該分級フード５５の底部（下部）に備わる固定排出口５７（図２参照）から装置外に排出され、ベルトコンベア等の搬送手段によって粉砕機１２０の供給ホッパー１２１へ搬送される。ただし、本形態においては、分級フード５５内に上昇流を発生させる上昇流発生手段として、分散ガスＮの吹上げ手段５８が備えられており、所望の微粉炭Ｃ４を乾燥炭Ｃ２から分級し、分級フード５５の天部（上部）に備わる固定排気口５６（図２参照）から排出するようになっている。したがって、供給ホッパー１２１へ搬送される乾燥炭Ｃ２は微粉炭Ｃ４を含まないものとなっており、ハンドリング性に優れる。
【００２２】
本形態において、分散ガスＮは、キャリアガスＧ１の吹込みに利用されるブロワ１１３によって分級フード５５内に直接吹き込まれ、吹き上げられる。そして、分散ガスＮの流路上には制御弁１４が備えられており、この制御弁１４の開き具合（開度）を調節することによって、分散ガスＮの流速が制御され、もって分級フード５５内における上昇流の流速が制御される。このように本形態においては、制御弁１４が上昇流の流速を制御する流速制御手段として機能するが、キャリアガスＧ１のブロワ１１３とは別のブロワを設け、このブロワを上昇流の流速制御手段とすることもできる。このように別途ブロワを設ける場合、分散ガスＮとしては、キャリアガスＧ１と同種のガスも、異種のガスも使用することができるが、処理の安定性という観点からは、同種のガスを使用するのが好ましい。
【００２３】
分級フード５５内を上昇流によって天部まで上昇させられた微粉炭Ｃ４は、分級フード５５の天部に備わる固定排気口５６から排ガスＧ２と伴に排出され、集塵装置１４０で集塵される。集塵装置１４０で集塵された微粉炭Ｃ４は、微粉炭ホッパー１５０へ搬送され、一時的に貯留される。この微粉炭ホッパー１５０内に貯留された微粉炭Ｃ４は、必要に応じてボイラ１３０に付属のバーナー１３２に供給され、燃焼される。この微粉炭Ｃ４の供給は、例えば空気搬送によることができる。図示例では、ブロワ１１４によって空気Ａ１の流れ（空気流）が形成され、この空気流によって微粉炭Ｃ４が搬送される。
【００２４】
一方、供給ホッパー１２１へ搬送され、一時的に貯留された乾燥炭Ｃ２は、粉砕機１２０に切り出され、微粉砕される。微粉砕された粉砕炭Ｃ３は、ボイラ１３０に付属のバーナー１３１に供給され、燃焼される。本形態においては、乾燥炭Ｃ２から微粉炭Ｃ４が除去されているため、粉砕機１２０での微粉砕は極めて効率のよいものとなる。また、粉砕機１２０としてローラーミルを使用する場合においても、振動が発生し、運転が不安定になるおそれが少ない。粉砕機１２０における乾燥炭Ｃ２の微粉砕の程度は、石炭の種類やバーナー１３１での燃焼速度等に基づいて、適宜決定することができる。例えば、石炭Ｃ１が褐炭の場合は、バーナー１３１での燃焼速度が相対的に速いため、微粉砕の程度を粗くすることができる。他方、石炭Ｃ１が亜瀝青炭の場合は、バーナー１３１での燃焼速度が相対的に遅いため、微粉砕の程度を細かくする必要がある。
【００２５】
（横型回転式乾燥機）
次に、横型回転式乾燥機１００について、詳細に説明する。
図２に、本形態の横型回転式乾燥機（１００）を示した。本形態の横型回転式乾燥機は、円筒状の回転筒１０を有する。この回転筒１０は、軸心方向の長さが、例えば１０〜３０ｍとされる。回転筒１０は、軸心が水平面に対して若干傾くようにして設置されており、回転筒１０の一端側（紙面左側）が他端側（紙面右側）よりも高くなっている。回転筒１０の下方には、２台の支持ユニット２０及びモーターユニット３０が回転筒１０を支持するように設置されている。回転筒１０は、モーターユニット３０によって、自身の軸心回りに回転自在とされている。回転筒１０は、図４に示すように、一方向に、図示例では反時計回り方向（矢印Ｒ方向）に回転する。この回転の速度は、特に限定されないが、通常、周速１ｍ／ｓ未満である。
【００２６】
回転筒１０の内部には、多数のスチームチューブ（加熱管）１１が、回転筒１０の軸心方向に沿って延在するように取り付けられている。スチームチューブ１１は、例えば金属製のパイプからなり、内部を蒸気等の熱媒体が流通する。スチームチューブ１１は、例えば、回転筒１０の軸心に対して同心円を成すように周方向及び径方向に複数本ずつ配列することができる。
【００２７】
図３に示すように、回転筒１０の他端部の周壁には、複数の排出口５０が形成されている。この複数の排出口５０を通して、回転筒１０内から乾燥炭Ｃ２及び排ガスが排出・排気される。複数の排出口５０は、回転筒１０の周方向に適宜の間隔をおいて並んでおり、周方向に沿う列を形成している。図示例では、この列が２列となっているが、１列又は３列以上の複数列とすることもできる。また、図示例では、各排出口５０の形状が全て同形の方形状となっているが、異形とすることや、円形等の方形状以外の形状とすることもできる。
【００２８】
図４に示すように、回転筒１０の内部には、回転筒１０の内壁から回転筒１０の軸心に向かって延出する複数の掻上板６１が備えられている。この複数の掻上板６１は、図２に示すように、回転筒１０の軸方向に離間して、複数の列、図示例では３つの列を成すように配置されている。各掻上板列６０は、図４に示すように、互いが等間隔に離間する複数枚の、図示例では４枚の掻上板６１で構成されている。各掻上板６１は、肉厚な金属から形成されており、先端部が回転筒１０の回転方向Ｒの先方側に向かって折れ曲がった鉤状を成している。掻上板６１の延出長さは、例えば回転筒１０の内径Ｄの１／１０〜３／１０とすることができる。また、各掻上板６１は、回転筒１０の回転方向Ｒの後方側に位置する排出口５０の先方側端部を通過し、かつ回転筒１０の軸方向と平行を成す直線近傍から延出するように配置されている。したがって、掻上板６１の先方側直近には、排出口５０が存在せず、回転筒１０の内壁が存在する。図２に示すように、掻上板列６０は、回転筒１０内部において、排出口５０と後述する供給口４１との間に配置されており、排出口５０よりも回転筒１０内部における他端側には存在していない。また、掻上板列６０は、排出口５０と供給口４１との間における、排出口５０寄りの部分に配置されている。
【００２９】
図２に示すように、回転筒１０内部における掻上板列６０よりも、回転筒１０の一端側には、回転筒１０内部に供給（装入）された石炭Ｃ１を撹拌する撹拌手段６５が設置されている。この撹拌手段６５は、回転筒１０内部における最も一端側に配置された掻上板列６０とも離間している。この撹拌手段６５としては、例えば公知のスタッドタイプや逆羽根などを使用することができる。その中でも特に、微粉炭分離（分散）の効果、乾燥によって嵩比重が小さくなり容積が減少した乾燥炭の充填率を高める等の理由から、逆羽根を選択するのが好ましい。
【００３０】
図２及び図５に示すように、回転筒１０には、複数の排出口５０を有する他端側を覆うように、乾燥炭Ｃ２及び排ガスＧ２を排出可能な分級フード５５が設けられている。この分級フード５５は、肉厚な金属から形成されており、図５に示すように、底部（下部）５５ｄの底面に、乾燥及び分級（微粉炭Ｃ４の除去）がされた乾燥炭Ｃ２の固定排出口５７を、天部（上部）５５ｕの天面に排ガスＧ２の固定排気口５６を、それぞれ有する。また、分級フード５５は、図４に示すように、天部５５ｕが回転筒１０の軸方向と直交する幅方向に関して固定排気口５６に向かうに従って幅狭となっており、同様に底部５５ｄも幅方向に関して固定排出口５７に向かうに従って幅狭となっている。固定排気口５６及び固定排出口５７は、平面視で分級フード５５のほぼ中央部に位置している。回転筒１０上方（符号Ｌで示す範囲）の分級フード５５内は、回転筒１０からの排ガスや分散ガスＮで満たされた空間である沈降域９０となっている。つまり、分級フード５５は、回転筒１０上方において沈降域９０が形成されるように備えられている。また、分級フード５５は、図示しない手段によって地面に固定されており、回転筒１０の回転に伴う回転をしないようになっている。
【００３１】
固定排気口５６は、上下方向に開口しており、前述した集塵手段１４０に接続されている。固定排気口５６からは、キャリアガスＧ１や石炭Ｃ１の乾燥に伴って発生した蒸気、分散ガスＮ、微粉炭Ｃ４等を含む排ガスＧ２が排出される。一方、固定排出口５７も上下方向に開口しており、粉砕機１２０の供給ホッパー１２１に接続されている。固定排出口５７からは、微粉炭Ｃ４が分級・除去された後の乾燥炭Ｃ２が排出される。
【００３２】
本形態の横型回転式乾燥機１００は、分級フード５５内に上昇流を発生させ、この上昇流の流速を制御することによって、固定排気口５６から排出される微粉炭Ｃ４の粒径分布や量を制御するものである。しかしながら、回転筒１０の上縁と固定排気口５６との離間距離Ｌを調節することによって、より好適に前記粒径分布や量を制御することができる。具体的には、離間距離Ｌを短くすると全体的なスリップ率が上昇するが、この上昇率は相対的に大径な微粉炭Ｃ４の方が大きくなる。したがって、離間距離Ｌを短くすると、固定排気口５６から排出される微粉炭Ｃ４は、粒径分布が大径側においてより高い値を示すようになる。他方、離間距離Ｌを長くすると全体的なスリップ率が低下するが、この低下率は相対的に小径な微粉炭Ｃ４の方が大きくなる。したがって、離間距離Ｌを長くすると、固定排気口５６から排出される微粉炭Ｃ４は、粒径分布が小径側においてより低い値を示すようになる。このような事情を考慮したうえで、離間距離Ｌは、回転筒１０の内径Ｄに対して、Ｌ＞０．３Ｄ、好ましくは０．８Ｄ＜Ｌ＜４．０Ｄ、より好ましくは１．０Ｄ＜Ｌ＜２．５Ｄとすることができる。また、固定排気口５６から排出される微粉炭Ｃ４の粒径分布を調節するという観点からは、図４中に拡大して示すように、分級フード５５の内壁面５５ａに、好ましくは沈降域９０を構成する分級フード５５の内壁面５５ａに、１又は複数枚の邪魔板９１を取り付けるのが好ましい。この邪魔板９１に衝突した大径の微粉炭は、落下し、そのまま固定排出口５７から排出される。他方、邪魔板９１に衝突した小径の微粉炭は、いったん落下するものの、一部の微粉炭は再度上昇流によって上昇する。したがって、固定排気口５６から排出される微粉炭Ｃ４の粒径分布が、大径側において低い値を示すようになる。
【００３３】
図５に示すように、沈降域９０においては、分級フード５５が回転筒１０の軸方向に広がっている。沈降域９０において分級フード５５が軸方向に広がっていると、微粉炭同士や微粉炭と分級フード５５（特に分級フード５５の軸方向両端の壁材５５Ａ，５５Ｂ）との衝突率が減るため、微粉炭Ｃ４の粒径分布をより正確に制御することができる。なお、軸方向に広がっているとは、回転筒１０との接続部分に比して広がっていることを意味する。
【００３４】
沈降域９０は、上下方向に関する全長にわたって軸方向に広がっている必要はない。回転筒１０近傍においては、微粉炭等が排出口５０を通して回転筒１０から排出された直後であり、平面的には広がっていないため、図示例のように軸方向に広げないこともできる。また、分級フード５５の天部５５ｕにおいては、図示例のように、回転筒１０の軸方向に関して固定排気口５６に向かうに従って狭くなっているのが好ましい。分級フード５５の広がりの程度は、回転筒１０との接続部分の軸方向長をＺ１、広がり部分の軸方向長をＺ２とした場合、１．５Ｚ１＜Ｚ２＜６Ｚ１とするのが好ましく、２Ｚ１＜Ｚ２＜４Ｚ１とするのがより好ましい。なお、沈降域９０は、図８，９に示すように幅方向に広げることや、図示はしないが幅方向及び軸方向の両方に広げることもできる。沈降域９０をどのように広げるかは周囲の設備等を考慮して適宜決定することができる。ただし、軸方向に広げた方が横型回転式乾燥機全体の設置スペースを狭めることができるとの利点がある。
【００３５】
沈降域９０においては、図４及び図５に示すように、分級フード５５の軸方向一方の壁材５５Ａと軸方向他方の壁材５５Ｂとの間に、複数本の支持材（６２，６３）が備わる。分級フード５５が軸方向に広がっていると強度が低下するおそれがあるが、軸方向一方の壁材５５Ａと軸方向他方の壁材５５Ｂとの間に複数本の支持材（６２，６３）が備わることで、分級フード５５の強度が保たれる。なお、支持材（６２，６３）は、図示例のように、分級フード５５の軸方向に広がっていない部分の一方の壁材５５Ａ及び他方の壁材５５Ｂ間にも備えることができる。
【００３６】
分級フード５５の強度を保つための支持材は、直線状の棒材、パイプ材等のみで構成することもできるが、本形態では、パイプ材６２と、このパイプ材６２の上に配置された傘材６３とで構成されている。傘材６３は、幅方向中央が上方に突出した傘状とされており、パイプ材６２の延在方向に沿って延在するように配置される。傘材６３の存在によって、パイプ材６２上に乾燥炭Ｃ２が堆積するのが防止される。傘材６３自体は、分級フード５５の強度を保つための機能を有しても、有しなくてもよい。
【００３７】
前述したように、分級フード５５の天部５５ｕは、幅方向に関して固定排気口５６に向かうに従って幅狭となっているが、この場合、固定排気口５６の下方には、図４に示すように、支持材（６２，６３）が位置しないようにするのが好ましい。分級フード５５の上部５５ｕが幅方向に関して固定排気口５６に向かうに従って幅狭となっていると、図４に示すように、この幅狭となる壁材に沿う流れ（上昇流）Ｓ１が生じ、この流れＳ１に微粉炭Ｃ４が乗ることになる。したがって、上昇する微粉炭Ｃ４が分級フード５５の天面に衝突して下降するといったことがなくなり、微粉炭Ｃ４の粒径分布をより正確に制御することができる。また、分級フード５５の内部においては、上記壁材に沿う流れＳ１が生じるとともに、中央を垂直に上昇する流れＳ２が主に生じ、この流れＳ２にも微粉炭Ｃ４が乗ることになる。したがって、固定排気口５６の下方に複数本の支持材（６２，６３）が位置しないと、中央を垂直に上昇する流れＳ２に乗った微粉炭Ｃ４が支持材（６２，６３）に衝突して下降するといったことがなくなり、微粉炭Ｃ４の粒径分布をより正確に制御することができる。
【００３８】
図４に示すように、分級フード５５の内部には、回転筒１０の排出口５０から自由落下等によって固定排出口５７に至る乾燥炭Ｃ２の流路上に、上昇流発生手段たる分散ガスＮの吹上げ手段５８が備わる。分散ガスＮの吹上げによって上昇流が発生するが、特にこの吹上げを乾燥炭Ｃ２の流路上において行うと、排出口５０から乾燥炭Ｃ２と伴に下降してしまった微粉炭が確実に吹き上げられるため、微粉炭Ｃ４の粒径分布をより正確に制御することができる。しかも、分散ガスＮの吹上げが、固定排出口５７に至る乾燥炭Ｃ２の流路上において行われると、乾燥炭Ｃ２が、そのまま分級フード５５底面の固定排出口５７から外部に排出されるため、乾燥炭Ｃ２を固定排出口５７に導くための考慮が必要とならない。
【００３９】
分散ガスＮの吹上げ手段５８の具体的な形態は特に限定されず、例えば、網材等からなる分散板と、当該網材の目を通して分散ガスＮを吹き上げる手段とで構成することもできる。しかしながら、本形態においては、分散ガスＮの吹上げ手段５８として、図６及び図７に示すように、固定排出口５７に至る乾燥炭Ｃ２の流路を横切り、かつ周壁に孔５８Ａｃが形成されたパイプ材５８Ａが備わり、このパイプ材５８Ａに形成された孔５８Ａｃから分散ガスＮを吹き上がるように構成されている。このように分散ガスＮの吹上げ手段５８が、固定排出口５７に至る乾燥炭Ｃ２の流路を横切るパイプ材５８Ａで構成されていると、乾燥炭Ｃ２を固定排出口５７に導くための考慮が必要にならない。また、パイプ材５８Ａの周壁に形成された孔５８Ａｃから分散ガスＮを吹き上げると、吹上げ効果が乾燥炭Ｃ２中の微粉炭に確実に及ぶ。
【００４０】
本形態において、パイプ材５８Ａの周壁に形成された孔５８Ａｃは、円形状とされており、また、パイプ材５８Ａの延在方向に適宜の間隔をおいて複数形成されている。また、孔５８Ａｃは、図７の（ａ）に示すように、分散ガスＮが斜め上方に吹き上がるように形成されている。
【００４１】
パイプ材５８Ａは、図示例のように、固定排出口５７近傍において複数本を回転筒１０の軸方向に平行に並べるのが好ましい。この形態においては、相互に隣接するパイプ材５８Ａ間を下降しようとする乾燥炭Ｃ２に分散ガスＮが吹き付けられ、微粉炭は分散ガスＮによって吹き上げられ、他方、乾燥炭Ｃ２はパイプ材５８Ａ間をそのまま下降して固定排出口５７から排出される。なお、分散ガスＮに吹き上げられた微粉炭は、分級フード５５内を舞い上がり、この舞い上がる速度（上昇流の速度）との関係で一部の微粉炭Ｃ４が固定排気口５６から排出される。
【００４２】
本形態においては、各孔５８Ａｃから吹き上げる分散ガスＮの流速を制御することによって、上昇流の流速を制御する。ここで、分散ガスＮの流速は、分級フード５５内における上昇流の流速を制御するために制御するが、上昇流の流速は底部、天部等の部位に応じて、通常異なる。そこで、上昇流の流速を判断するにあたっては、沈降域９０、特に沈降域９０の上下方向中央部（離間距離Ｌを三等分した場合に、中央となる部位）における流速を基準にすることを推奨する。微粉炭が分級されるのは沈降域９０においてであるため、沈降域９０における上昇流の流速を基準にするのが好ましい。また、沈降域９０の上下方向下端部を基準にすると意図するよりもスリップ率が低くなる傾向があり、他方、沈降域９０の上下方向上端部を基準にすると意図するよりもスリップ率が高くなる傾向があるため、沈降域９０の上下方向中央部を基準に流速を判断するのが好ましい。
【００４３】
複数本のパイプ材５８Ａからなるパイプ材群は、上下方向に離間して複数段設けることもできる。また、本形態のように、各パイプ材５８Ａの上に傘材５８Ｂを配置することもできる。この傘材５８Ｂは、幅方向中央が上方に突出した傘状とされており、パイプ材５８Ａの延在方向に沿って延在している。傘材５８Ｂの存在によって、パイプ材５８Ａ上に乾燥炭Ｃ２が堆積するのがより確実に防止される。
【００４４】
図１及び図２に示すように、回転筒１０の他端側には、スチームチューブ（加熱管）１１内に蒸気Ｊ１を供給する供給管７０とドレン管７１とが設けられている。ドレン管７１を通して排出されたドレン水Ｄは、熱交換器１１５に送り、微粉炭Ｃ４を搬送するために使用する空気Ａ１の加熱に利用することができる。また、スチームチューブ１１に供給する蒸気としては、ボイラ１３０で生成された蒸気Ｊ２や、この蒸気Ｊ２を利用する蒸気タービンの抽気蒸気等を利用することができる。
【００４５】
他方、回転筒１０の一端側には、内部にスクリューを備え、円筒状とされたスクリューフィーダ４２が、回転筒１０に嵌め込まれるようにして設置されている。このスクリューフィーダ４２の一端には、スクリューフィーダ４２内部に設けられたスクリューを回動させるモータ等の駆動手段４３が備えられている。また、スクリューフィーダ４２の上部には、石炭Ｃ１の供給口４１が開口しており、この供給口４１とスクリューフィーダ４２の内部は連通している。
【００４６】
乾燥の対象となる石炭Ｃ１は、供給口４１からスクリューフィーダ４２内部に供給され、このスクリューフィーダ４２内部に設置されたスクリューを駆動手段４３によって回動させることによって、回転筒１０の内部に供給されるようになっている。また、供給口４１あるいは図示しない別の供給口からは、キャリアガスＧ１も吹き込まれ、吹き込まれたキャリアガスＧ１は、回転筒１０の他端側に向かって回転筒１０の内部を流通する。
【００４７】
次に、この横型回転式乾燥機（１００）の動作について説明する。
本形態の横型回転式乾燥機で石炭Ｃ１を乾燥するにあたっては、図２に示すように、石炭Ｃ１を供給口４１に供給する。供給口４１から供給された石炭Ｃ１は、スクリューフィーダ４２によって回転筒１０内部に供給され、蒸気Ｊ１によって加熱されたスチームチューブ１１に接触して加熱乾燥されつつ、回転筒１０の他端側に移動する。
【００４８】
石炭Ｃ１（乾燥炭Ｃ２）は、撹拌手段６５の存在する位置まで到達すると、撹拌手段６５によって撹拌され、続いて、図４に示すように、回転筒１０の回転に伴って回動する掻上板６１によって掻き上げられる。掻き上げられた石炭Ｃ１（乾燥炭Ｃ２）は、掻上板６１が回転筒１０の上側に位置すると、自然に落下し、その際に石炭Ｃ１（乾燥炭Ｃ２）に含まれる微粉炭が回転筒１０内に分散する（いわゆるフライトアクション）。
【００４９】
他方、回転筒１０の一端側に設けられた供給口４１あるいは図示しない別の供給口から吹き込まれたキャリアガスＧ１は、回転筒１０内を通過して、乾燥炭Ｃ２の排出口でもある排出口５０から、蒸気等を伴い排ガスとして回転筒１０外に排気される。この際、排ガスは、掻上板６１によって回転筒１０内に分散された微粉炭を伴って排出口５０から排気される。排出口５０から排気された排ガスは、微粉炭の一部と伴に固定排気口５６を介して分級フード５５から排気される。また、分散ガスＮの吹込み手段５８によって、分級フード５５の上方に向かって分散ガスＮが吹き上げられるようにして供給され、上昇流が形成される。この分散ガスＮの流量は、通常排出口５０から排気される排ガスの流量よりも少なくされる。なお、排ガスは、排出口５０から排気される際に、流速が例えば５〜１０ｍ／ｓとなっている。この流速は、排出口５０の面積とキャリアガスＧ１の吹込み量によって適宜調整される。
【００５０】
乾燥炭Ｃ２は、回転筒１０内において落下し、排ガスに伴うことなく、下側に位置した排出口５０から自然落下する。この自然落下した乾燥炭Ｃ２は、更に分散ガスＮによっても吹き上げられることがなく、パイプ材５８Ａ間を通り、固定排出口５７から排出される。また、乾燥炭Ｃ２中の微粉炭のうち、比較的大径の微粉炭は、排ガスに乗って、あるいは乾燥炭Ｃ２と伴に排出口５０から排出されるものの、重量が重く、上昇流によって固定排気口５６まで搬送されず、下方に落下し、乾燥炭Ｃ２と伴に固定排出口５７から排出される。他方、乾燥炭Ｃ２中の微粉炭のうち、比較的小径の微粉炭は、排ガスに乗って、あるいは乾燥炭Ｃ２と伴に排出口５０から排出され、上昇流によって固定排気口５６まで搬送され、排ガスＧ２と伴に固定排気口５６から排出される。
【００５１】
次に、横型回転式乾燥機（１００）の作用効果を説明する。
本形態の横型回転式乾燥機のように、掻上板６１が回転筒１０内部に設けられていると、石炭Ｃ１（乾燥炭Ｃ２）に含有される微粉炭が回転筒１０内部の空間において分散するため、この微粉炭を排ガスに乗せることができ、乾燥炭Ｃ２と伴に排出口５０から排出され、そのまま固定排出口５７から排出されてしまう可能性が減る。したがって、微粉炭Ｃ４の粒径分布をより正確に制御することができる。
【００５２】
また、それぞれの掻上板６１が、回転筒１０の回転方向Ｒを基準として後方側に位置する排出口５０の先方側端部を通過し、かつ回転筒１０の軸心方向と平行を成す直線近傍から延出するようにして配置されていると、掻上板６１上に載った乾燥炭Ｃ２は排出口５０の後方側に位置することとなる。したがって、掻上板６１上の乾燥炭Ｃ２が直接排出口５０に入ってしまうことが防止され、微粉炭が混ざった状態の乾燥炭Ｃ２が排出口５０から排出されてしまう確率が減少する。
【００５３】
複数の掻上板列６０が、回転筒１０の軸心方向に間欠的に位置していると、回転筒１０内部を移動する石炭Ｃ１（乾燥炭Ｃ２）は、掻上板６１が存在する部分と存在しない部分とを交互に通過するようになる。したがって、複数回に分けて石炭Ｃ１（乾燥炭Ｃ２）が掻き上げられるようになり、掻き上げ効率が向上する。
【００５４】
また、掻上板６１が回転筒１０の周方向に相互に等間隔で離間するよう間欠的に位置していると、効率良く石炭Ｃ１（乾燥炭Ｃ２）を掻き上げることができる。具体的には、回転筒１０の内壁から軸心に向かって延出し、回転筒１０の回転と伴に石炭Ｃ１（乾燥炭Ｃ２）を掻き上げる掻上板６１を、周方向に間隔をおいて複数設けると、掻上板６１から落下する石炭Ｃ１（乾燥炭Ｃ２）に対して排ガスが通り抜けるので、多くの微粉炭を排ガスに同伴させることができ、微粉炭が乾燥炭Ｃ２に混ざった状態で排出されてしまう確率が減少する。しかも、掻上板６１によって、石炭Ｃ１とスチームチューブ１１との接触効率が高められ、乾燥効率が高まる副次的な利点もある。
【００５５】
本形態では、掻上板列６０のうち少なくとも他端側（下流側）の掻上板列６０の掻上板６１は、回転筒１０の回転方向Ｒを基準として、排出口５０の先方側縁に近接した位置に掻上板６１の基端を有し、回転筒１０の内壁から軸心に向かって延出する位置関係にある。したがって、回転筒１０の回転方向先方側の次の排出口５０との間で多くの石炭Ｃ１（乾燥炭Ｃ２）を抱いて掻き上げることができる。結果、キルンアクションと比較して、石炭Ｃ１（乾燥炭Ｃ２）がより細かく撹拌され、微粉炭が乾燥炭Ｃ２に混ざった状態で排出されてしまう確率が減少する。
【００５６】
さらに、本形態では、掻上板６１が基端から回転筒１０の軸心に向かって延出し、延出する先端部が、回転筒１０の回転方向Ｒを基準として、先方に折れ曲がるように構成されている。したがって、回転筒１０の回転方向先方の次の排出口５０との間でより多くの石炭Ｃ１（乾燥炭Ｃ２）を抱いて掻き上げることができる。結果、石炭Ｃ１（乾燥炭Ｃ２）がより確実に撹拌され、微粉炭が乾燥炭Ｃ２に混ざった状態で排出されてしまう確率が減少する。
【００５７】
掻上板列６０よりも、回転筒１０の一端側に、回転筒１０内に供給された石炭Ｃ１（乾燥炭Ｃ２）を撹拌する撹拌手段６５が設置されていると、掻上板６１で石炭Ｃ１（乾燥炭Ｃ２）を掻き上げるに先立って石炭Ｃ１（乾燥炭Ｃ２）が撹拌されるため、石炭Ｃ１（乾燥炭Ｃ２）が含有する微粉炭が洗い出される。結果、掻上板６１による微粉炭の分散効率が向上する。なお、以上の撹拌手段６５及び掻上板６１は備えないこともできるが、備えると微粉炭が乾燥炭Ｃ２に混ざった状態で排出されてしまう確率が減少し、より好ましい装置となる。
【００５８】
回転筒１０の周壁に設けられた回転筒１０の回転に伴って周方向に移動する排出口５０と、この排出口５０を覆うようにして設置された分級フード５５の底部に設けられた固定されていて移動することのない固定排出口５７と、分級フード５５の天部に設けられた固定排気口５６と、が組み合わせられていると、排出口５０と固定排気口５６との間の沈降域９０において、上昇流による分級が行われる。つまり、所望の微粉炭Ｃ４は排ガスＧ２に同伴して固定排気口５６より排出され、それ以外は、固定排出口５７に向かって落下させて排出させることによって分級が実現される。
【００５９】
回転筒１０上方の分級フード５５内部が、排ガス等で満たされた空間である沈降域９０となっていると、排ガスに同伴した比較的大径な微粉炭は、沈降域９０内でイナーシャによって落下し、固定排出口５７から排出される。
【００６０】
固定排出口５７に至る乾燥炭Ｃ２の流路上に、分散ガスＮの吹上げ手段５８が設けられていると、固定排出口５７へ乾燥炭Ｃ２と伴に落下する微粉炭を固定排気口５６に向かって上昇させることができ、結果、微粉炭の除去効率が向上する。
【００６１】
本形態においては、各掻上板列６０あたりの掻上板６１の枚数は、４枚でなくとも良く特に限定されないが、掻き上げ容量を確保するために４〜６枚とされていることが好ましい。また、排出口５０の一列あたりの数は、特に限定されないものの、圧力損失の低減、微粉炭の分散、回転筒１０の機械強度などを考慮して、１０〜１７個とすることが好ましい。
【００６２】
〔変形例１〕
次に、横型回転式乾燥機（１００）の変形例について、上記した形態と異なる点を中心に説明する。
図８に、本形態の分級フード５５を示した。本形態の分級フード５５も回転筒１０の一端側に排出口５０を覆うようにして設置される。この分級フード５５も、図示しない手段によって地面に固定され、回転筒１０の回動に伴う回動をしない。ただし、本形態の分級フード５５は、中間部５５ｃに比べて天部５５ｕが若干幅広がりとなっている。この天部５５ｕの内部は、排ガス等で満たされた空間である沈降域９０である。また、底部５５ｄは、回転筒１０の下方において幅方向に関して固定排出口５７に向かうに従って幅狭となっている。
【００６３】
本形態の分級フード５５の底部５５ｄにも、上昇流発生手段たる分散ガスＮの吹上げ手段５８が備えられている。この分散ガスＮの吹上げ手段５８は、上部が目の細かい網である分散板５８ａで構成されている。この分散板５８ａは、底部５５ｄの床面上に配置されており、固定排出口５７へ向かって下り傾斜して落下シュートを形成している。この吹上げ手段５８にも、例えば、先の形態と同様に、分散ガスＮが供給される。供給された分散ガスＮは、分散板５８ａを通過して分級フード５５内に吹き上げられる。本形態では、分散板５８ａが傾斜しているため、分散板５８ａが水平の場合に比較して、乾燥炭Ｃ２を速やかに固定排出口５７へ落下させることができる。ただし、前述した形態では、底部５５ｄのほぼ底面全域が固定排出口５７とされているのに対し、本形態では、分散板５８ａ配置のために、底部５５ｄの底面中央部のみが固定排出口５７とされている。したがって、底面上に乾燥炭Ｃ２が堆積する可能性があり、この点では先の形態の方が好ましい。また、本形態では、上昇流発生手段たる分散ガスＮの吹上げ手段５８が回転筒１０の排出口５０から固定排出口５７に至る乾燥炭Ｃ２の流路上に設けられていない。したがって、乾燥炭Ｃ２に直接分散ガスＮが作用しない可能性があり、この点でも先の形態の方が好ましい。
【００６４】
〔変形例２〕
図９に、別の形態の分級フード５５を示した。本形態の分級フード５５は、上昇流発生手段たる分散ガスＮの吹上げ手段５８の位置、固定排出口５７の位置が上記形態と異なる。固定排出口５７は、下方に向かって開口しておらず、側方に向かって開口している。この固定排出口５７と並んで分散ガスＮの吹上げ手段５８が配置されており、この吹上げ手段５８を構成する分散板５８ａが水平に設けられている。この形態は、分級フード５５の下方にスペースがない場合等に有用である。
【００６５】
（その他）
以上の形態例では、分級フード５５に上昇流発生手段（５８）を１つのみ備えた形態を示したが、上昇流発生手段（５８）は、２つ、３つ、４つ又はそれ以上の複数備えることもできる。上昇流発生手段（５８）を複数備える場合は、例えば、分級フード５５の天部５５ｕ、中間部５５ｃ、底部５５ｄに分けて配置すると好適である。また、上昇流を発生させるための方法は、分散ガスＮの吹上げに限定されず、可能であれば上方からの吸引作用（負圧）を利用することもできる。
【００６６】
また、本形態の石炭ボイラ設備は、その用途が特に限定されず、例えば、火力発電所や砂糖工場、パルプ工場等の熱を利用する工場等において使用することができる。ボイラ１３０において水Ｗを加熱して生成した蒸気Ｊ２を使用することができる設備に適宜適用することができる。
【産業上の利用可能性】
【００６７】
本発明は、火力発電所等において使用可能な石炭の横型回転式乾燥機が備わる石炭ボイラ設備、及びこの石炭ボイラ設備の運転方法として適用可能である。
【符号の説明】
【００６８】
１０…回転筒、１１…スチームチューブ（加熱管）、４１…供給口、５０…排出口、５５…分級フード、５６…固定排気口、５７…固定排出口、５８…吹上げ手段、６１…掻上板、６５…撹拌手段、１００…横型回転式乾燥機、１２０…粉砕機、１３０…ボイラ、Ｃ１…石炭、Ｃ２…乾燥炭、Ｃ３…粉砕炭、Ｃ４…微粉炭、Ｇ１…キャリアガス、Ｎ…分散ガス。
【図１】
0005794726.tif 000002
【図２】
0005794726.tif 000003
【図３】
0005794726.tif 000004
【図４】
0005794726.tif 000005
【図５】
0005794726.tif 000006
【図６】
0005794726.tif 000007
【図７】
0005794726.tif 000008
【図８】
0005794726.tif 000009
【図９】
0005794726.tif 000010
【図１０】
0005794726.tif 000011
【図１１】
0005794726.tif 000012